(57)【要約】【課題】紛失端末を探索し得る携帯端末およびその探索方法を提供する。【解決手段】周囲画像を撮影するカメラ部1と、周囲画像を添付ファイルとすると共に所定アドレスを送信先とする送信メールを自動生成する電子メール作成部２と、所定のリモートコマンドを受信すると共に前記送信メールを送信する通信部３と、前記記カメラ部１、電子メール作成２部及び前記通信部３を制御する制御部５とを備え、制御部５は、通信部３がリモートコマンドを受信すると、当該リモートコマンドに基づいてカメラ部１に周囲画像を撮影させ、電子メール作成部２に前記送信メールを自動生成させ、さらに通信部３に送信メールを送信させるように制御する。【選択図】図１
2008211562.tif 000002
【特許請求の範囲】
【請求項１】
周囲画像を撮影するカメラ部と、
前記周囲画像を添付ファイルとすると共に所定アドレスを送信先とする送信メールを自動生成する電子メール作成部と、
所定のリモートコマンドを受信すると共に前記送信メールを送信する通信部と、
前記カメラ部、前記電子メール作成部及び前記通信部を制御する制御部とを備え、
前記制御部は、前記通信部が前記リモートコマンドを受信すると、当該リモートコマンドに基づいて前記カメラ部に前記周囲画像を撮影させ、前記電子メール作成部に前記送信メールを自動生成させ、さらに前記通信部に前記送信メールを送信させることを特徴とする携帯端末。
【請求項２】
２つの部分筐体を相対移動自在に組み合わせた筐体を有する場合、前記部分筐体を相対移動させる駆動部を備え、前記制御部は、前記カメラ部による前記周囲画像の撮影と前記駆動部による前記部分筐体の相対移動とを交互に行わせることを特徴とする請求項1記載の携帯端末。
【請求項３】
アンテナを突出／収納させるアンテナ駆動部を備え、前記制御部は、前記カメラ部による前記周囲画像の撮影と前記アンテナ駆動部を制御して前記アンテナの突出／収納とを交互に行わせることを特徴とする請求項1または２記載の携帯端末。
【請求項４】
前記リモートコマンドは、回線交換網の着信信号に含まれる着サブアドレスであることを特徴とする請求項１〜３のいずれか一項に記載の携帯端末。
【請求項５】
前記リモートコマンドは、受信メールに含まれる特定コードであることを特徴とする請求項１〜３のいずれか一項に記載の携帯端末。
【請求項６】
電子メール作成部は、前記受信メールに含まれる送信アドレスを送信先として送信メールを作成することを特徴とする請求項４記載の携帯端末。
【請求項７】
携帯端末にリモートコマンドを送信することにより周囲画像を撮影させ、該周囲画像を電子メールに添付して外部に送信させることを特徴とする携帯端末の探索方法。
【発明の詳細な説明】
【技術分野】
【０００１】
本発明は、携帯電話やＰＨＳ（Personal Handy-phone System）等の携帯端末及びその探索方法に関する。
【背景技術】
【０００２】
周知のように、上記携帯電話やＰＨＳ等の携帯端末では、着信音を発生することにより着信を利用者に知らせる。そして、このような着信音は、携帯端末が紛失した際の探索にも利用されている。すなわち、特許文献１には、他の電話機から紛失した携帯端末（紛失端末）に向けて発呼することにより当該紛失端末に音声着信を行い、着信スピーカーのスイッチを入れ、着信音が発生することを手がかりとして紛失端末を探し出すことが記載されている。
【特許文献１】特許第３００５５６５号公報
【発明の開示】
【発明が解決しようとする課題】
【０００３】
ところで、上記従来の紛失端末の探索方法には以下のような問題点がある。すなわち、携帯端末には、周知のマナーモードのように、着信があっても着信音を発生しない動作状態があるため、紛失端末がこのような動作状態に設定されている場合には、紛失端末を探し出すことができない。
また、紛失端末は着信音を発生する動作状態に設定されている場合であっても、探索を行う人間から遠方に位置する場合には、着信音の発生を聞き取ることが難しいため、紛失端末を探し出すことが困難となる。
【０００４】
本発明は、上述した事情を鑑みてなされたものであり、紛失端末が着信音を発生しない動作状態に設定されている場合、また紛失端末が発する着信音を探索を行う人間が聞き取り難い状況にある場合であっても、紛失端末を探索し得る携帯端末およびその探索方法を提供することを目的とする。
【課題を解決するための手段】
【０００５】
上記目的を達成するために、本発明では、携帯端末に係る第１の解決手段として、周囲画像を撮影するカメラ部と、
前記周囲画像を添付ファイルとすると共に所定アドレスを送信先とする送信メールを自動生成する電子メール作成部と、
所定のリモートコマンドを受信すると共に前記送信メールを送信する通信部と、
前記カメラ部、前記電子メール作成部及び前記通信部を制御する制御部とを備え、
前記制御部は、前記通信部が前記リモートコマンドを受信すると、当該リモートコマンドに基づいて前記カメラ部に前記周囲画像を撮影させ、前記電子メール作成部に前記送信メールを自動生成させ、さらに前記通信部に前記送信メールを送信させる、という手段を採用する。
【０００６】
本発明では、携帯端末に係る第２の解決手段として、上記第１の解決手段において、２つの部分筐体を相対移動自在に組み合わせた筐体を有する場合、前記部分筐体を相対移動させる駆動部を備え、前記制御部は、前記カメラ部による前記周囲画像の撮影と前記駆動部による前記部分筐体の相対移動とを交互に行わせる、という手段を採用する。
【０００７】
本発明では、携帯端末に係る第３の解決手段として、上記第１および２の解決手段において、アンテナを突出／収納させるアンテナ駆動部を備え、前記制御部は、前記カメラ部による前記周囲画像の撮影と前記アンテナ駆動部を制御して前記アンテナの突出／収納とを交互に行わせる、という手段を採用する。
【０００８】
本発明では、携帯端末に係る第４の解決手段として、上記第１〜第３のいずれかの解決手段において、前記リモートコマンドは、回線交換の着信信号に含まれる着サブアドレスである、という手段を採用する。
【０００９】
本発明では、携帯端末に係る第５の解決手段として、上記第１〜第３のいずれかの解決手段において、前記リモートコマンドは、受信メールに含まれる特定コードである、という手段を採用する。
【００１０】
本発明では、携帯端末に係る第６の解決手段として、上記第５の解決手段において、電子メール作成部は、前記受信メールに含まれる送信アドレスを送信先として送信メールを作成する、という手段を採用する。
【００１１】
また、本発明では、携帯端末の探索方法の解決手段として、携帯端末にリモートコマンドを送信することにより周囲画像を撮影させ、該周囲画像を電子メールに添付して外部に送信させる、という手段を採用する。
【発明の効果】
【００１２】
本発明によれば、携帯端末は、リモートコマンドに基づいて撮影された周囲画像を送信メールによって外部に送信するので、携帯端末から受信した周囲画像に基づいて携帯端末の所在を探索することができる。
したがって、上記携帯端末が紛失した端末（紛失端末）であり、当該紛失端末が着信音を発生しない動作状態に設定されている場合、また紛失端末が発する着信音を探索を行う人間が聞き取り難い状況にある場合であっても、紛失端末の所在を探索することが可能である。
【発明を実施するための最良の形態】
【００１３】
以下、図面を参照して、本発明の一実施形態について説明する。本実施形態は、携帯端末の一種であるＰＨＳ端末及びその探索方法に関する。
【００１４】
図１は、本実施形態に係るＰＨＳ端末Ａの要部機能構成を示すブロック図である。
この図１に示す通り、ＰＨＳ端末Ａは、カメラ部１、電子メール作成部２、通信部３、フォルダ開閉駆動部４及び制御部５を備えている。なお、このＰＨＳ端末Ａは、これら構成要件の他に、液晶表示器等から構成された表示部及び各種操作キー等から構成された操作部を備えている。また、図１には図示していないが、ＰＨＳ端末Ａは、２つの部分筐体（表示部が設けられた表示筐体と操作部や制御部等が設けられた本体筐体）がヒンジによって開閉自在に接続された折りたたみ型のＰＨＳ端末である。
【００１５】
カメラ部１は、制御部５から入力される制御指令に基づいてＰＨＳ端末Ａの周囲画像を撮影して制御部５に出力する。このカメラ部１は、例えばCMOS（Complementary Metal-Oxide Semiconductor）方式の撮像素子を備えたデジタルカメラである。また、カメラ部１から制御部５に出力される周囲画像は、例えばＪＰＥＧ（Joint Photographic Experts Group）形式の圧縮画像である。
【００１６】
電子メール作成部２は、制御部５から入力される制御指令に基づいて、上記周囲画像を添付ファイルとすると共に所定アドレスを送信先とする送信メール（電子メール）を自動生成して制御部５に出力する。なお、上記所定アドレス、つまり送信先メールアドレスは、制御部５内のメモリに予め記憶・設定されたものであり、例えば後述するリモートコマンドの送信元であるＰＨＳ端末のメールアドレスである。
【００１７】
通信部３は、ＰＨＳ基地局等を介して音声信号や電子メールの送受信を外部機器と行うものである。上記音声信号の１つに周知の音声着信信号があるが、通信部３は、この音声着信信号に着サブアドレスが含まれている場合には、当該着サブアドレスを制御部５に出力する。また、通信部３は、電子メール作成部２が作成した送信メールが制御部５から入力されると、この送信メールを送信先メールアドレス宛に送信する。
【００１８】
フォルダ開閉駆動部４は、制御部５から入力される制御指令に基づいて上記部分筐体を開閉駆動するモータである。
制御部５は、内部に記憶された制御プログラム及び各種の設定データ等に基づいてカメラ部１、電子メール作成部２及び通信部３等を制御するものである。この制御部５の制御処理の詳細については、以下にＰＨＳ端末Ａの動作として説明する。
【００１９】
次に、上記のように構成されたＰＨＳ端末Ａの動作及び当該ＰＨＳ端末Ａの探索方法を、図２のフローチャート及び図３の模式図を用いて説明する。なお、上記フローチャートは、制御部５が制御プログラムに基づいて処理する制御手順を示すものである。
【００２０】
最初に、上記ＰＨＳ端末Ａの所在を探索使用とするユーザは、例えばＰＨＳ端末Ｂを操作することにより、周囲画像の送信を指示する特定の着サブアドレス（リモートコマンド）を付加した発呼をＰＨＳ端末Ａに対して行う（図３参照）。この結果、ＰＨＳ端末Ａの通信部３は、上記発呼に基づく着サブアドレス付の音声着信信号を受信し、当該着サブアドレスを制御部１に出力する。そして、制御部１は、図２に示すように、通信部３から入力された着サブアドレスが周囲画像の送信を指示する特定の着サブアドレスであるか否かを判断する（ステップＳ1）。
【００２１】
なお、着サブアドレスは、発信先電話番号の後ろに「＊」を区切り符号として付加される所定桁数の番号であり、ＩＳＤＮ(Integrated Services Digital Network)や当該ＩＳＤＮを利用するＰＨＳで使用可能なものである。
【００２２】
上記ステップＳ1の判断が「Ｙｅｓ」の場合、制御部５は、フォルダ開閉駆動部４に制御指令を出力して部分筐体の開閉を行わせる（ステップＳ2）。すなわち、制御部５は、部分筐体が閉状態にある場合は、フォルダ開閉駆動部４に部分筐体を開状態に変化させる制御指令を出力し、一方、部分筐体が開状態にある場合には、フォルダ開閉駆動部４に部分筐体を閉状態に変化させる制御指令を出力する。
【００２３】
制御部５は、上記ステップＳ2の処理に引き続いて、カメラ部１に制御指令を出力してＰＨＳ端末Ａの周囲画像を撮影させる（ステップＳ3）。そして、制御部５は、制御指令によって部分筐体の開閉状態が変更されたか否かをフォルダ開閉駆動部４の動作状態に基づいて判断し（ステップＳ4）、この判断が「Ｙｅｓ」の場合は、周囲画像の撮影回数が予め設定されている５回になったか否かを判断する（ステップＳ5）。
【００２４】
この時点では１回目の周囲画像が撮影された状態なので、ステップＳ5の判断は「Ｎｏ」となり、制御部５は、上記ステップＳ2の処理を繰り返す。すなわち、制御部５は、ステップＳ2〜Ｓ5の処理を繰り替えすことにより、合計５回に亘って周囲画像をカメラ部１に撮影させて５枚の周囲画像を取得する。
【００２５】
ここで、本実施形態では上述したように部分筐体の開閉状態の変更と周囲画像の撮影とを繰り返すが、このような処理の意義は以下の通りである。すなわち、部分筐体の開閉状態を変更する、つまり部分筐体を機械的に運動させることにより、ＰＨＳ端末Ａに反力が作用してＰＨＳ端末Ａの姿勢を変化させることが期待できる。そして、ＰＨＳ端末Ａの姿勢が変化することによって周囲画像の撮影範囲を変化させることができるので、上記５回に亘って撮影された周囲画像の撮影範囲は異なるものとなり得る。
【００２６】
なお、上記ステップＳ4の判断が「Ｎｏ」の場合、つまり何らかの原因によって部分筐体の開閉状態が変更されなかった場合、制御部５は、電子メール作成部２に制御指令を出力して、部分筐体の開閉状態の変更ができない旨のメッセージを生成させる（ステップＳ6）。
【００２７】
このようにしてステップＳ1〜Ｓ6処理が完了すると、制御部５は、電子メール作成部２に制御指令を出力することにより、予め設定された上記送信先メールアドレス宛の送信メールを生成させる（ステップＳ7）。
【００２８】
この送信メールの生成処理において、制御部５は、ステップＳ4の判断が「Ｙｅｓ」であり、５枚の周囲画像を撮影した場合は、５枚の周囲画像を添付ファイルとする送信メールを作成し、一方、ステップＳ4の判断が「Ｎｏ」であり、ステップＳ6において部分筐体の開閉状態の変更ができない旨のメッセージを生成した場合には、当該メッセージを本文とすると共に１枚だけ撮影された周囲画像を添付ファイルとする送信メールを作成する。
【００２９】
そして、制御部５は、電子メール作成部２が生成した上記送信メールを通信部３に送信させる（ステップＳ8）。すなわち、図３に示すように、周囲画像が添付された電子メールが探索対象のＰＨＳ端末Ａから探索元であるＰＨＳ端末Ｂに送信され、ＰＨＳ端末ＢにＰＨＳ端末Ａの周囲画像が取得される。ＰＨＳ端末Ｂのユーザは、このようにしてＰＨＳ端末Ａから取得した周囲画像を用いてＰＨＳ端末Ａの所在を特定して探索を終了する。
【００３０】
このような本実施形態によれば、ＰＨＳ端末Ｂのユーザは、探索対象であるＰＨＳ端末Ａにリモートコマンドを送信することによりＰＨＳ端末Ａの周囲画像を取得し、この周囲画像に基づいてＰＨＳ端末Ａの所在を知ることができる。すなわち、本実施形態によれば、従来のように探索対象の着信音を使用して探索を行うのではなく、ＰＨＳ端末Ａの周囲画像を使用することによりＰＨＳ端末Ａを探索することが可能である。
【００３１】
また、本実施形態によれば、部分筐体の開閉状態を変更することによって撮影範囲が異なる複数の周囲画像に基づいてＰＨＳ端末Ａを探索するので、１枚の周囲画像に基づいてＰＨＳ端末Ａを探索する場合に比較して探索が容易である。
さらに、本実施形態によれば、部分筐体の開閉状態が変更できなかった場合には、その旨を送信メールの本文に付加されたメッセージでＰＨＳ端末Ｂのユーザに知らせるので、ユーザは、ＰＨＳ端末Ａの所在を、例えばＰＨＳ端末Ａが部分筐体を開閉し得ない机の引き出しやカバンの中等に限定することができる。
【００３２】
以上、本発明の一実施形態について説明したが、本発明は上記実施形態に制限されることなく、例えば以下のような変形が考えられる。
（１）上記実施形態は、折りたたみ型のＰＨＳ端末Ａに関するものであるが、本発明はこれに限定されない。２つの部分筐体を相互移動自在に組み合わせた筐体を有する携帯端末には、折りたたみ型の他に２つの部分筐体をスライドさせるスライド型がある。このようなスライド型の携帯端末に、２つの部分筐体をスライド駆動させるスライド駆動部を設けることにより、上記実施形態と同様の機能を持たせることができる。
また、本発明は、アンテナを突出／収納させるアンテナ駆動部を設け、制御部５がアンテナ駆動部にアンテナを突出させたとき、周囲の物体にアンテナの先端部が接触を行い、その反力の作用によってＰＨＳ端末Ａの姿勢が変化することで上記実施形態と同様の機能を持たせることもできる。
さらに、本発明は、単一の筐体を有するストレート型の携帯端末にも適用可能である。
【００３３】
（２）上記実施形態では、リモートコマンドとして着サブアドレスを使用したが、メールを使用してリモートコマンドを受信させることも可能である。そしてメールを用いたリモートコマンドを使用することで、携帯電話などＰＨＳ端末以外の携帯端末に本発明を適用することが可能であり、また制御部５内のメモリに予め記憶・設定された送信先メールアドレスを送信メールの送信先として利用する上記実施形態以外に、リモートコマンドに使用された受信メールの送信先メールアドレスを用いる方法が本発明に適用することができる。
【図面の簡単な説明】
【００３４】
【図１】本発明の一実施形態に係わるＰＨＳ端末Ａの要部機能構のブロック図である。
【図２】本発明の一実施形態に係わるＰＨＳ端末Ａの動作のフローチャートである。
【図３】本発明の一実施形態に係わるＰＨＳ端末Ａの探索方法の模式図である。
【符号の説明】
【００３５】
１…カメラ部、２…電子メール作成部、３…通信部、４…フォルダ開閉駆動部、５…制御部
【図１】
2008211562.tif 000003
【図２】
2008211562.tif 000004
【図３】
2008211562.tif 000005